(57)【特許請求の範囲】
【請求項１】
自己の光電変換面上に照射された光に対応した画像信号を得る撮像素子と、
全体として円形乃至多角形の板状をなし少なくとも自己の中心から放射方向に所定の広がりを持つ領域が透明部をなし、この透明部が上記撮像素子の前面側に所定の間隔を持って対向配設された防塵部材と、
上記防塵部材の周縁部に配設され当該防塵部材に振動を与えるための加振用部材と、
上記撮像素子と上記防塵部材との両者が対向して形成される部位に、略密閉された空間部を構成すべく上記撮像素子及び上記防塵部材の周縁側で上記空間部を封止するように構成された封止構造部と、
上記防塵部材を上記封止構造部に対して押圧固定するために当該防塵部材の周縁部を押圧する保持構造部と、
上記撮像素子の光電変換面上に結像された像に対応するものとして当該撮像素子から得られた画像信号を記録に適合する形態の信号に変換するための画像信号処理回路と、
を具備することを特徴とするカメラ。
【請求項２】
上記保持構造部は、有害光を遮光するための絞り機能を兼ね備えていることを特徴とする請求項１に記載のカメラ。
【請求項３】
上記保持構造部は、円環形状であることを特徴とする請求項１に記載のカメラ。
【請求項４】
上記保持構造部は、複数箇所において上記防塵部材を押圧することを特徴とする請求項１に記載のカメラ。
【請求項５】
上記保持構造部は、上記封止構造部に対してねじ止めされていることを特徴とする請求項１乃至請求項４のうちのいずれか一つに記載のカメラ。
【請求項６】
上記保持構造部は、上記封止構造部に対してはめ込み固定されていることを特徴とする請求項１乃至請求項４のうちのいずれか一つに記載のカメラ。
【請求項７】
上記保持構造部は、上記防塵部材を上記封止構造部に対して押圧固定するために当該防塵部材の周縁部を点接触又は線接触で押圧することを特徴とする請求項１乃至請求項４のうちのいずれか一つに記載のカメラ。
【請求項８】
上記保持構造部の少なくとも上記防塵部材と接する部位は、振動吸収部材で形成されていることを特徴とする請求項１乃至請求項７のうちのいずれか一つに記載のカメラ。
【請求項９】
撮影レンズを装着するための撮影レンズ装着部をさらに有し、上記撮影レンズは、上記撮影レンズ装着部において着脱自在であることを特徴とする請求項１に記載のカメラ。
【請求項１０】
自己の光電変換面上に照射された光に対応した画像信号を得る撮像素子と、
上記撮像素子の前面側に所定の間隔を持って対向配設された光学部材と、
上記光学部材の周縁部に配設され当該光学部材に振動を与えるための加振用部材と、
上記撮像素子と上記光学部材との両者が対向して形成される部位に略密閉された空間部を構成すべく上記撮像素子及び上記光学部材の周縁側で上記空間部を封止するように構成された封止構造部と、
上記光学部材を上記封止構造部に対して押圧固定するために当該光学部材の周縁部を押圧する保持構造部と、
を具備することを特徴とする撮像素子ユニット。
【請求項１１】
上記保持構造部は、上記撮像素子の形状に対応する略同形状の開口部が形成されていることを特徴とする請求項１０に記載の撮像素子ユニット。
【請求項１２】
上記保持構造部は、円環形状であることを特徴とする請求項１０に記載の撮像素子ユニット。
【請求項１３】
上記保持構造部は、複数箇所において上記光学部材を押圧することを特徴とする請求項１０に記載の撮像素子ユニット。
【請求項１４】
上記保持構造部は、上記封止構造部に対してねじ止めされていることを特徴とする請求項１０乃至請求項１３のうちのいずれか一つに記載の撮像素子ユニット。
【請求項１５】
上記保持構造部は、上記封止構造部に対してはめ込み固定されていることを特徴とする請求項１０乃至請求項１３のうちのいずれか一つに記載の撮像素子ユニット。
【請求項１６】
上記保持構造部は、上記光学部材を上記封止構造部に対して押圧固定するために当該光学部材の周縁部を点接触又は線接触で押圧することを特徴とする請求項１０乃至請求項１３のうちのいずれか一つに記載の撮像素子ユニット。
【請求項１７】
上記保持構造部の少なくとも上記光学部材と接する部位は、振動吸収部材で形成されていることを特徴とする請求項１０乃至請求項１６のうちのいずれか一つに記載のカメラ。
【発明の詳細な説明】
【０００１】
【発明の属する技術分野】
この発明は、自己の光電変換面上に照射された光に対応した画像信号を得る撮像素子を有する撮像素子ユニットを備えたカメラに関し、より詳細には撮像素子の防塵構造を備えたカメラ及びこれに用いる撮像ユニットに関するものである。
【０００２】
【従来の技術】
近年、撮影光学系（撮影レンズともいう）を透過した被写体からの光束（以下、被写体光束という）に基づいて形成される被写体像を所定の位置に配置した固体撮像素子等、例えば電荷結合素子（ＣＣＤ；Ｃharge Ｃoupled Ｄevice。以下、単に撮像素子という）等の光電変換面上に結像させ、当該撮像素子等の光電変換作用を利用して所望の被写体像を表わす電気的な画像信号等を生成し、この画像信号等に基づく信号を、例えば液晶表示装置（ＬＣＤ；Ｌiquid Ｃrystal Ｄisplay）等の所定の表示装置等へと出力して画像等を表示させたり、撮像素子等によって生成した画像信号等を所定の形態の画像データとして所定の記録媒体の所定の記録領域に記録し、さらにこの記録媒体に記録された画像データを読み出して、その画像データに対して表示装置を用いて表示するのに最適な画像信号となるように変換処理した後、処理済の画像信号に基づいて、これに対応する画像を表示させ得るように構成した、いわゆるデジタルスチルカメラやデジタルビデオカメラ等のデジタルカメラ等（以下、デジタルカメラ又は単にカメラという）が、一般的に実用化され広く普及している。
【０００３】
また、一般的なデジタルカメラにおいては、撮影動作に先立って撮影対象となる所望の被写体を観察し、当該被写体を含む撮影範囲を設定する等の目的で、光学的ファインダー装置を備えているのが一般である。
【０００４】
この光学ファインダー装置としては、撮影光学系の光軸上に配設した反射部材等を用いて撮影光学系を透過した被写体光束の進行方向を折り曲げて観察用の被写体像を所定の位置に結像させる一方、撮影動作時には、撮影光学系の光軸上から反射部材を退避させることにより、被写体光束を撮像素子の受光面、即ち光電変換面へと導き、当該光電変換面上に撮影用の被写体像を形成させるように構成したいわゆる一眼レフレックス方式のファインダー装置等が一般的に利用されている。
【０００５】
そして、近年においては、一眼レフレックス方式のファインダー装置を具備すると共に、カメラ本体に対して撮影光学系を着脱自在となるように構成し、使用者が所望するときに所望の撮影光学系を任意に着脱し交換することで、単一のカメラ本体において複数種類の撮影光学系を選択的に使用し得るように構成したいわゆるレンズ交換可能な形態のデジタルカメラが一般に実用化されつつある。
【０００６】
このようなレンズ交換可能な形態のデジタルカメラにおいては、当該撮影光学系をカメラ本体から取り外した際に、カメラ本体の内部に空気中に浮遊する塵埃等が侵入する可能性がある。また、カメラ本体内部には、例えばシャッター・絞り機構等、機械的に動作する各種の機構が配設されていることから、これら各種の機構等からは、その動作中に塵埃等が発生する場合もある。
【０００７】
一方、撮影光学系をカメラ本体から取り外した際には、当該撮影光学系の後方に配置される撮像素子の受光面（光電変換面とも言う）がカメラ内部の外気に露呈されることになることから、塵埃等が帯電作用等の要因によって撮像素子の光電変換面に付着することがある。
【０００８】
そこで、従来の一眼レフレックス方式のデジタルカメラ等においては、帯電作用等に起因して撮像素子の受光面上に塵埃等が付着するのを抑制するための技術が、例えば特開２０００−２９１３２号公報等によって提案されている。
【０００９】
上記特開２０００−２９１３２号公報に開示されている手段は、レンズ交換可能な形態の一眼レフレックス方式のデジタルカメラにおいて、カメラ内部に設けられる撮像素子の受光面を覆うカバー部材の表面に透明電極を設け、この電極に対して直流電圧若しくは数ｋＨｚ〜２０ｋＨｚ程度の周波数の交流電圧を印加することによって、帯電作用によって撮像素子の受光面上に塵埃等が付着するのを抑制するようにしたものである。
【００１０】
当該公報に開示されている手段によれば、撮像素子に生起する電荷を中和することによって静電気等に起因して撮像素子の受光面に塵埃等が付着するのを抑制することができるというものである。
【００１１】
他方、従来のデジタルカメラにおける撮像素子としては、いわゆるパッケイジに封じられた形態の撮像素子（例えばパッケイジＣＣＤという）が広く用いられているが、このような形態の撮像素子とは別に、近年においては、いわゆるベアチップＣＣＤと呼ばれる裸の状態のＣＣＤチップを市場に供給することが提案されている。
【００１２】
このようなベアチップＣＣＤにおいては、その光電変換面上に塵埃等が付着する可能性が多くなることから、ベアチップＣＣＤとこれを載置する基板との間に圧電素子を設け、この圧電素子に対して所定の電圧を印加することによって当該ベアチップＣＣＤ自体を振動させ、これにより光電変換面上に付着した塵埃等を振り落とすようにする手段についての提案が、例えば特開平９−１３０６５４号公報等によって開示されている。
【００１３】
【発明が解決しようとする課題】
ところが、上述の特開２０００−２９１３２号公報に開示されている手段では、帯電した撮像素子の電荷を中和させることで塵等が付着するのを抑制するようにしていることから、例えば静電気に因らずに撮像素子の光電変換面上に単に付着したり堆積した状態の塵埃等を除去する手段としては、最適なものではないと考えられる。
【００１４】
また、上述の特開平９−１３０６５４号公報に開示されている手段では、ベアチップＣＣＤを念頭に入れて考案されている手段であるために、従来のデジタルカメラにおいて一般的に利用されているパッケイジＣＣＤのような形態の撮像素子に対して適用するためには、最適な手段であるとは言えない。
【００１５】
つまり、一般的な形態のパッケイジＣＣＤ等に対して上述の特開平９−１３０６５４号公報に開示されている手段を適用した場合には、例えば撮像素子自体又はそのパッケイジに対して振動を加えることになるので、この加振作用によって撮像素子及びその近傍に配設される各種の機構に対して、例えば機構的な劣化や狂い等の悪影響が波及する虞がある。
【００１６】
一方、本出願人は、先に特願２０００−４０１２９１号において、撮像素子の光電変換面の側を封止乃至保護する防塵部材を備えることで、当該撮像素子の光電変換面に塵埃等が付着するのを抑制すると共に、防塵部材の外面側に付着する塵埃等に対しては、所定の加振用部材によって防塵部材に所定の振幅の振動を与えることによって、これを除去する手段を提案している。
【００１７】
この手段によれば、小型でかつ簡単な機構によって撮像素子の光電変換面に塵埃等が付着するのを抑制すると共に、防塵部材の外面側に付着する塵埃等を容易に除去し得るレンズ交換可能な形態のデジタルカメラを構成することができるというものである。
【００１８】
本発明は、上述した点に鑑みてなされたものであって、その目的とするところは、撮像素子の光電変換面上に塵埃等が付着するのを防止する防塵構造を備えたカメラ及びこれに使用する撮像素子ユニットにおいて、撮像素子の前面側に配設する防塵部材と封止構造部とを確実に固定保持し得る固定手段を提案し、確実な封止構造と防塵機能とを確保しながら、構成の簡略化を実現し、製造上の簡易化をも実現し得るカメラ及びこれに使用する撮像素子ユニットを提供することである。
【００１９】
【課題を解決するための手段】
上記目的を達成するために、第１の発明によるカメラは、自己の光電変換面上に照射された光に対応した画像信号を得る撮像素子と、全体として円形乃至多角形の板状をなし少なくとも自己の中心から放射方向に所定の広がりを持つ領域が透明部をなし、この透明部が上記撮像素子の前面側に所定の間隔を持って対向配設された防塵部材と、上記防塵部材の周縁部に配設され当該防塵部材に振動を与えるための加振用部材と、上記撮像素子と上記防塵部材との両者が対向して形成される部位に、略密閉された空間部を構成すべく上記撮像素子及び上記防塵部材の周縁側で上記空間部を封止するように構成された封止構造部と、上記防塵部材を上記封止構造部に対して押圧固定するために当該防塵部材の周縁部を押圧する保持構造部と、上記撮像素子の光電変換面上に結像された像に対応するものとして当該撮像素子から得られた画像信号を記録に適合する形態の信号に変換するための画像信号処理回路とを具備することを特徴とする。
【００２０】
また、第２の発明は、上記第１の発明によるカメラにおいて、上記保持構造部は、有害光を遮光するための絞り機能を兼ね備えていることを特徴とする。
【００２１】
そして、第３の発明は、上記第１の発明によるカメラにおいて、上記保持構造部は、円環形状であることを特徴とする。
【００２２】
第４の発明は、上記第１の発明によるカメラにおいて、上記保持構造部は、複数箇所において上記防塵部材を押圧することを特徴とする。
【００２３】
第５の発明は、上記第１の発明乃至第４の発明のうちのいずれか一つによるカメラにおいて、上記保持構造部は、上記封止構造部に対してねじ止めされていることを特徴とする。
【００２４】
第６の発明は、上記第１の発明乃至第４の発明のうちのいずれか一つによるカメラにおいて、上記保持構造部は、上記封止構造部に対してはめ込み固定されていることを特徴とする。
【００２５】
第７の発明は、上記第１の発明乃至第４の発明のうちのいずれか一つによるカメラにおいて、上記保持構造部は、上記防塵部材を上記封止構造部に対して押圧固定するために当該防塵部材の周縁部を点接触又は線接触で押圧することを特徴とする。
【００２６】
第８の発明は、上記第１の発明乃至第７の発明のうちのいずれか一つによるカメラにおいて、上記保持構造部の少なくとも上記防塵部材と接する部位は、振動吸収部材で形成されていることを特徴とする。
【００２７】
第９の発明は、上記第１の発明によるカメラにおいて、撮影レンズを装着するための撮影レンズ装着部をさらに有し、上記撮影レンズは、上記撮影レンズ装着部において着脱自在であることを特徴とする。
【００２８】
第１０の発明による撮像素子ユニットは、自己の光電変換面上に照射された光に対応した画像信号を得る撮像素子と、上記撮像素子の前面側に所定の間隔を持って対向配設された光学部材と、上記光学部材の周縁部に配設され当該光学部材に振動を与えるための加振用部材と、上記撮像素子と上記光学部材との両者が対向して形成される部位に略密閉された空間部を構成すべく上記撮像素子及び上記光学部材の周縁側で上記空間部を封止するように構成された封止構造部と、上記光学部材を上記封止構造部に対して押圧固定するために当該光学部材の周縁部を押圧する保持構造部とを具備することを特徴とする。
【００２９】
第１１の発明は、上記第１０の発明による撮像素子ユニットにおいて、上記保持構造部は、上記撮像素子の形状に対応する略同形状の開口部が形成されていることを特徴とする。
【００３０】
第１２の発明は、上記第１０の発明による撮像素子ユニットにおいて、上記保持構造部は、円環形状であることを特徴とする。
【００３１】
第１３の発明は、上記第１０の発明による撮像素子ユニットにおいて、上記保持構造部は、複数箇所において上記光学部材を押圧することを特徴とする。
【００３２】
第１４の発明は、上記第１０の発明乃至第１３の発明のうちのいずれか一つによる撮像素子ユニットにおいて、上記保持構造部は、上記封止構造部に対してねじ止めされていることを特徴とする。
【００３３】
第１５の発明は、上記第１０の発明乃至第１３の発明のうちのいずれか一つによる撮像素子ユニットにおいて、上記保持構造部は、上記封止構造部に対してはめ込み固定されていることを特徴とする。
【００３４】
第１６の発明は、上記第１０の発明乃至第１３の発明のうちのいずれか一つによるにおいて、上記保持構造部は、上記光学部材を上記封止構造部に対して押圧固定するために当該光学部材の周縁部を点接触又は線接触で押圧することを特徴とする。
【００３５】
第１７の発明は、上記第１０の発明乃至第１６の発明のうちのいずれか一つによるにおいて、上記保持構造部の少なくとも上記光学部材と接する部位は、振動吸収部材で形成されていることを特徴とする。
【００３６】
【発明の実施の形態】
以下、図示の実施の形態によって本発明を説明する。
まず、本発明の第１の実施形態のカメラについて、その概略的な構成を以下に説明する。
【００３７】
図１・図２は、本発明の第１実施形態のカメラの概略的な構成を示す図であって、図１は、本カメラの一部を切断して、その内部構成を概略的に示す斜視図であり、図２は、本カメラの主に電気的な構成を概略的に示すブロック構成図である。
【００３８】
本実施形態のカメラ１は、それぞれが別体に構成されるカメラ本体部１１及びレンズ鏡筒１２とからなり、両者（１１・１２）は、互いに着脱自在に構成されてなるものである。
【００３９】
レンズ鏡筒１２は、複数のレンズやその駆動機構等からなる撮影光学系（撮影レンズともいう）１２ａを内部に保持して構成されている。この撮影光学系１２ａは、被写体からの光束を透過させることで当該被写光束により形成される被写体の像を所定の位置（後述する撮像素子２７の光電変換面上）に結像せしめるように例えば複数の光学レンズ等によって構成されるものである。そして、このレンズ鏡筒１２は、カメラ本体部１１の前面に向けて突出するように配設されている。
【００４０】
なお、このレンズ鏡筒１２については、従来のカメラ等において一般的に利用されているものと同様のものが適用される。したがって、その詳細な構成についての説明は省略する。
【００４１】
カメラ本体部１１は、内部に各種の構成部材等を備えて構成され、かつ撮影光学系１２ａを保持するレンズ鏡筒１２を着脱自在となるように配設するための連結部材である撮影光学系装着部（撮影レンズ装着部ともいう）１１ａをその前面に備えて構成されてなるいわゆる一眼レフレックス方式のカメラである。
【００４２】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００４３】
カメラ本体部１１の外面側には、その前面に上述の撮影光学系装着部１１ａが配設されているほか、上面部や背面部等の所定の位置にカメラ本体部１１を動作させるための各種の操作部材、例えば撮影動作を開始せしめるための指示信号等を発生させるためのレリーズボタン１７等等が配設されている。これらの操作部材については、本発明とは直接関連しない部分であるので、図面の煩雑化を避けるために、レリーズボタン１７以外の操作部材については、その図示及び説明を省略する。
【００４４】
カメラ本体部１１の内部には、図１に示すように、各種の構成部材、例えば、撮影光学系１２ａによって形成される所望の被写体像を撮像素子２７（図２参照）の光電変換面上とは異なる所定の位置に形成させるべく設けられ、いわゆる観察光学系を構成するファインダー装置１３と、撮像素子２７の光電変換面への被写体光束の照射時間等を制御するシャッタ機構等を備えたシャッター部１４と、このシャッター部１４を含み撮影光学系１２ａを透過した被写体光束に基づいて形成される被写体像に対応した画像信号を得る撮像素子２７及びこの撮像素子２７の光電変換面の前面側の所定の位置に配設され当該光電変換面への塵埃等の付着を予防する光学部材であり防塵部材である防塵フイルター２１（詳細については後述する）等からなるアッセンブリである撮像素子ユニット（以下、撮像ユニットと略記する）１５と、撮像素子２７により取得した画像信号に対して各種の信号処理を施す画像信号処理回路１６ａ（図２参照）等の電気回路を構成する各種の電気部材が実装される主回路基板１６を始めとした複数の回路基板（図１では主回路基板１６のみを図示している）等が、それぞれ所定の位置に配設されている。
【００４５】
ファインダー装置１３は、撮影光学系１２ａを透過した被写体光束の光軸を折り曲げて観察光学系の側へと導き得るように構成される反射鏡１３ｂと、この反射鏡１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００４６】
反射鏡１３ｂは、撮影光学系１２ａの光軸から退避する位置と当該光軸上の所定の位置との間で移動自在に構成され、通常状態においては、撮影光学系１２ａの光軸上において当該光軸に対して所定の角度、例えば角度４５度を有して配置されている。これにより、撮影光学系１２ａを透過した被写体光束は、当該カメラ１が通常状態にあるときには、反射鏡１３ｂによってその光軸が折り曲げられて、当該反射鏡１３ｂの上方に配置されるペンタプリズム１３ａの側へと反射されるようになっている。
【００４７】
一方、本カメラ１が撮影動作の実行中において、その実際の露光動作中には、当該反射鏡１３ｂは、撮影光学系１２ａの光軸から退避する所定の位置に移動するようになっている。これによって、被写体光束は、撮像素子２７の側へと導かれ、その光電変換面を照射するようになっている。
【００４８】
シャッター部１４は、例えばフォーカルプレーン方式のシャッター機構や、このシャッター機構の動作を制御する駆動回路等、従来のカメラ等において一般的に利用されているものと同様のものが適用される。したがって、その詳細な構成についての説明は省略する。
【００４９】
また、本カメラ１の内部には、上述したように複数の回路基板が配設され、各種の電気回路を構成している。本カメラ１の電気的な構成は、図２に示すように、例えば本カメラ１の全体を統括的に制御する制御回路であるＣＰＵ４１と、撮像素子２７によって取得した画像信号に基づいて記録に適合する形態の信号に変換する信号処理等、各種の信号処理を施す画像信号処理回路１６ａと、この画像信号処理回路１６ａによって処理済みの画像信号や画像データ及びこれに付随する各種の情報等を一時的に記録するワークメモリ１６ｂと、この画像信号処理回路１６ａによって生成された所定の形態の記録用の画像データを所定の領域に記録する記録媒体４３と、この記録媒体４３と本カメラ１の電気回路とを電気的に接続すべく構成される記録媒体インターフェイス４２と、画像を表示するための液晶表示装置（ＬＣＤ）等からなる表示部４６と、この表示部４６と本カメラ１との間を電気的に接続し、画像信号処理回路１６ａによって処理済の画像信号を受けて表示部４６を用いて表示するのに最適な表示用の画像信号を生成する表示回路４７と、乾電池等の二次電池等からなる電池４５と、この電池４５又は所定の接続ケイブル等（図示せず）により供給される外部電源（ＡＣ）からの電力を受けて、本カメラ１を動作させるのに適するように制御し、各電気回路へと配電する電源回路４４と、撮像ユニット１５に含まれる防塵フイルター２１を駆動させるための電気回路であって発振器等からなる防塵フイルター駆動部４８等からなる。
【００５０】
次に、本実施形態のカメラ１における撮像ユニット１５の詳細について、以下に説明する。
図３・図４は、本実施形態のカメラにおける撮像ユニットの一部を取り出して示す図であって、図３は、当該撮像ユニットを分解して示す要部分解斜視図である。図４は、当該撮像ユニットの一部を拡大して示す要部拡大斜視図であって、防塵部材及び押圧部材の取り付け部位を拡大して示している。
【００５１】
なお、本実施形態のカメラ１の撮像ユニット１５は、上述したようにシャッター部１４を含む複数の部材によって構成されるユニットであるが、図３においてはその主要部を図示するに留め、シャッター部１４の図示は省略している。また、同図３においては、各構成部材の位置関係を示すために当該撮像ユニット１５の近傍に設けられ撮像素子２７が実装されると共に、画像信号処理回路１６ａ及びワークメモリ１６ｂ等からなる撮像系の電気回路が実装される主回路基板１６を合わせて図示している。なお、この主回路基板１６、それ自体の詳細については、従来のカメラ等において一般的に利用されているものが適用されるものとして、その説明は省略する。
【００５２】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフイルター（Ｌow Pass Filter；以下、光学ＬＰＦという）２５と、この光学ＬＰＦ２５と撮像素子２７との間の周縁部に配置され、略枠形状の弾性部材等によって形成されるローパスフイルター受け部材２６と、撮像素子２７を収納し固定保持すると共に光学ＬＰＦ２５（光学素子）をその周縁部位乃至その近傍部位に密着して支持しかつ所定の部位を後述する防塵フイルター受け部材２３Ａに密に接触するように配設される撮像素子収納ケース部材（以下、ＣＣＤケースという）２４と、このＣＣＤケース２４の前面側に配置され防塵フイルター２１（防塵部材）をその周縁部位乃至その近傍部位に密着して支持する防塵フイルター受け部材２３Ａと、この防塵フイルター受け部材２３Ａによって支持されて撮像素子２７の光電変換面の側であって光学ＬＰＦ２５の前面側において当該光学ＬＰＦ２５との間に所定の間隔を持つ所定の位置に対向配設される光学部材であり防塵部材である防塵フイルター２１と、この防塵フイルター２１の周縁部の一方の表面上に配設され当該防塵フイルター２１に対して所定の振動を与えるための加振用部材であり例えば電気機械変換素子等からなる圧電素子２２と、防塵フイルター２１を防塵フイルター受け部材２３Ａに対して気密的に接合させ固定保持する弾性体からなる板状の押圧部材２０Ａ等によって構成されている。
【００５３】
撮像素子２７は、撮影光学系１２ａを透過した被写体光束を自己の光電変換面に受けて光電変換処理を行なうことによって、当該光電変換面に形成される被写体像に対応した画像信号を取得するものであって、例えば電荷結合素子（ＣＣＤ；Ｃharge Ｃoupled Ｄevice）等が適用されている。
【００５４】
この撮像素子２７は、撮像素子固定板２８を介して主回路基板１６上の所定の位置に実装されている。この主回路基板１６には、上述したように画像信号処理回路１６ａ及びワークメモリ１６ｂ等が共に実装されており、撮像素子２７からの出力信号、即ち光電変換処理により得られた画像信号が画像信号処理回路１６ａ等へと電送されるようになっている。
【００５５】
この画像信号処理回路１６ａにおいてなされる信号処理としては、例えば撮影光学系装着部１１ａに装着されたレンズ鏡筒１２の内部に保持される撮影光学系１２ａによって撮像素子２７の光電変換面上に結像された像に対応するものとして当該撮像素子２７から得られた画像信号を記録に適合する形態の信号に変換する処理等、各種の信号処理である。このような信号処理は、電子的な画像信号を取り扱うように構成される一般的なデジタルカメラ等において通常になされる処理と同様である。したがって、当該カメラ１において実行される各種の信号処理についての詳細な説明は省略する。
【００５６】
撮像素子２７の前面側には、ローパスフイルター受け部材２６を挟んで光学ＬＰＦ２５が配設されている。そして、これを覆うようにＣＣＤケース２４が配設されている。
【００５７】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。この開口２４ｃの後方側の内周縁部には、断面が略Ｌ字形状からなる段部２４ａ（詳細は後述の第２実施形態における図１７・図１８も参照）が形成されている。
【００５８】
上述したように、光学ＬＰＦ２５と撮像素子２７との間には、弾性部材等からなるローパスフイルター受け部材２６が配設されている。このローパスフイルター受け部材２６は、撮像素子２７の前面側の周縁部においてその光電変換面の有効範囲、つまり当該撮像素子２７に入射する有効光束を避ける位置に配設され、かつ光学ＬＰＦ２５の背面側の周縁部近傍に当接するようになっている。そして、光学ＬＰＦ２５と撮像素子２７との間を略気密性が保持されるようにしている。これにより、光学ＬＰＦ２５には、ローパスフイルター受け部材２６による光軸方向への弾性力が働くことになる。
【００５９】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフイルター受け部材２６による弾性力に抗して当該光学ＬＰＦ２５の光軸方向における位置を規制するようにしている。
【００６０】
換言すれば、ＣＣＤケース２４の開口２４ｃの内部に背面側より挿入された光学ＬＰＦ２５は、段部２４ａによって光軸方向における位置規制がなされている。これにより、当該光学ＬＰＦ２５は、ＣＣＤケース２４の内部から前面側へ向けて外部に抜け出ないようになっている。
【００６１】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合において、光学ＬＰＦ２５と撮像素子２７との間には、周縁部においてローパスフイルター受け部材２６が挟持されるようになっている。
【００６２】
また、撮像素子２７は、上述したように撮像素子固定板２８を挟んで主回路基板１６に実装されている。そして、撮像素子固定板２８は、ＣＣＤケース２４の背面側からねじ孔２４ｅに対してねじ２８ｂによってスペーサ２８ａを介して固定されている。また、撮像素子固定板２８には、主回路基板１６がスペーサ１６ｃを介してねじ１６ｄによって固定されている。
【００６３】
ＣＣＤケース２４の前面側には、防塵フイルター受け部材２３ＡがＣＣＤケース２４のねじ孔２４ｂに対してねじ２３ｂによって固定されている。この場合において、ＣＣＤケース２４の周縁側であって前面側の所定の位置には、周溝２４ｄが略環状に形成されている。その一方で、防塵フイルター受け部材２３Ａの周縁側であって背面側の所定の位置には、ＣＣＤケース２４の周溝２４ｄに対応させた環状凸部２３ｄ（図３では図示できず。図４参照。また後述する第２実施形態における図１７・図１８も参照）が全周にわたって略環状に形成されている。したがって、環状凸部２３ｄと周溝２４ｄとが嵌合することによりＣＣＤケース２４と防塵フイルター受け部材２３Ａとは、環状の領域、即ち周溝２４ｄと環状凸部２３ｄとが形成される領域において相互に略気密的に嵌合するようになっている。
【００６４】
防塵フイルター２１は、全体として円形乃至多角形の板状をなし、少なくとも自己の中心から放射方向に所定の広がりを持つ領域が透明部をなしており、この透明部が光学ＬＰＦ２５の前面側に所定の間隔を持って対向配設されている。
【００６５】
また、防塵フイルター２１の一方の表面（本実施形態では背面側）の周縁部には、当該防塵フイルター２１に対して振動を与えるための所定の加振用部材であり電気機械変換素子等によって円環状に形成される圧電素子２２が一体に、例えば接着剤による貼着等の手段により配設されている。この圧電素子２２は、外部から所定の駆動電圧を印加することによって防塵フイルター２１に所定の振動を発生させることができるように構成されている。
【００６６】
そして、防塵フイルター２１は、防塵フイルター受け部材２３Ａに対して気密的に接合するように板状ばね等の弾性体からなり円環状に形成された押圧部材２０Ａによって防塵フイルター受け部材２３Ａの側に向けて押圧されることで固定保持されている。
【００６７】
防塵フイルター受け部材２３Ａの略中央部近傍には、円形状又は多角形状からなる開口２３Ａｆが穿設されている。この開口２３Ａｆは、撮影光学系１２ａを透過した被写体光束を通過させて、当該光束が後方に配置される撮像素子２７の光電変換面を照射するのに充分な大きさとなるように設定されている。
【００６８】
この開口２３Ａｆの周縁部には、前面側に突出する壁部２３Ａｅが略環状に形成されており、この壁部２３Ａｅの先端側には、さらに前面側に向けて突出するように受け部２３Ａｃが形成されている。
【００６９】
一方、防塵フイルター受け部材２３Ａの前面側の周縁部近傍には、所定の位置に複数の突状部２３Ａａ及び押圧部材固定部２３Ａｇ（本実施形態ではそれぞれ三箇所）が前面側に向けて突設されている。
【００７０】
このうち突状部２３Ａａは、当該防塵フイルター受け部材２３Ａに防塵フイルター２１を配設するときの位置決めを行なう位置規制部材の役目をするものである。
【００７１】
また、押圧部材固定部２３Ａｇは、図４に示すように防塵フイルター２１を固定保持する押圧部材２０Ａをねじ止め固定するために形成される部位である。当該押圧部材２０Ａは、押圧部材固定部２３Ａｇに形成されるねじ孔に対して固定ねじ２０ａ等の締結手段により固設されるようになっている。
【００７２】
なお、図４は、上述したように当該撮像ユニット１５の一部、即ち防塵フイルター２１及び押圧部材２０Ａを防塵フイルター受け部材２３Ａに対して固定保持するための押圧部材固定部２３Ａｇ近傍部位を拡大してその断面を示す要部拡大断面斜視図となっている。
【００７３】
押圧部材２０Ａは、上述したように板状ばね等の弾性体によって円環状に形成されており、その周縁部には外方に向けて複数（本実施形態では三箇所）の凸片２０Ａｂが突設されている。この凸片２０Ａｂには固定ねじ２０ａを貫通させる穿孔が穿設されている。
【００７４】
この場合においては、まず防塵フイルター受け部材２３Ａに対して防塵フイルター２１を所定の位置に配置した後、押圧部材２０Ａをねじ止め固定することになる。このとき、防塵フイルター２１の周縁部を突状部２３Ａａに沿わせて光軸方向に移動させるようにすることで、当該防塵フイルター２１を容易に防塵フイルター受け部材２３Ａの所定の位置に配置し得るようになっている。
【００７５】
そして、防塵フイルター２１（実際には圧電素子２２）の所定の位置（後述する振動時の節となる部位）に受け部２３Ａｃが当接するようになっている。
【００７６】
この状態で防塵フイルター２１に対して押圧部材２０Ａを重ねるように配置することで、当該押圧部材２０Ａと防塵フイルター受け部材２３Ａとの間に防塵フイルター２１が挟持された状態になる。このとき、押圧部材２０Ａを押圧部材固定部２３Ａｇのねじ孔に対して固定ねじ２０ａで固設する。すると、押圧部材２０Ａの円環状の平板部は、防塵フイルター２１の周縁部の所定の部位に当接し、自身の弾性力により防塵フイルター２１を防塵フイルター受け部材２３Ａの側に向けて押圧することになる。
【００７７】
この場合において、防塵フイルター２１の背面側の周縁部に配設される圧電素子２２の所定の部位が受け部２３ｃに当接することで、防塵フイルター２１及び圧電素子２２の光軸方向における位置が規制されるようになっている。したがってこれにより、防塵フイルター２１は、圧電素子２２を介して防塵フイルター受け部材２３Ａに対して気密的に接合するように固定保持されている。
【００７８】
換言すれば、防塵フイルター受け部材２３Ａは、押圧部材２０Ａの弾性力によって圧電素子２２を介して防塵フイルター２１と気密的に接合し固定保持されるように構成されている。
【００７９】
こうして、押圧部材２０Ａ及び防塵フイルター受け部材２３Ａの押圧部材固定部２３Ａｇ等の構成部材によって、防塵フイルター２１（防塵部材）を防塵フイルター受け部材２３（封止構造部）に対して押圧固定するために当該防塵フイルター２１の周縁部を押圧するための保持構造部を形成している。
【００８０】
ところで、上述したように防塵フイルター受け部材２３ＡとＣＣＤケース２４とは、周溝２４ｄと環状凸部２３ｄとが相互に略気密的に嵌合している。また、これと共に、防塵フイルター受け部材２３Ａと防塵フイルター２１とは、押圧部材２０Ａの押圧力により圧電素子２２を介して気密的に接合している。
【００８１】
そして、ＣＣＤケース２４に配設される光学ＬＰＦ２５は、光学ＬＰＦ２５の前面側の周縁部とＣＣＤケース２４の段部２４ａとの間で略気密的となるように配設されている。
【００８２】
さらに、光学ＬＰＦ２５の背面側には、撮像素子２７がローパスフイルター受け部材２６を介して配設されており、光学ＬＰＦ２５と撮像素子２７との間においても略気密性が保持されるようになっている。
【００８３】
したがって、このような構成によって、光学ＬＰＦ２５と防塵フイルター２１とが対向する間の空間には、所定の空隙部が形成されており、同時に光学ＬＰＦ２５の周縁側には、ＣＣＤケース２４と防塵フイルター受け部材２３Ａと防塵フイルター２１とによって所定の空間部が形成されている。この空間部は、光学ＬＰＦ２５の外側に張り出すようにして形成される封止された空間となっている。
【００８４】
この場合において、当該空間部は、上述の空隙部よりも広い空間となるように設定されている。そして、空隙部と空間部とからなる空間は、上述した如くＣＣＤケース２４と防塵フイルター受け部材２３Ａと防塵フイルター２１と光学ＬＰＦ２５とによって略気密的に封止される封止空間を形成している。
【００８５】
このように、本実施形態のカメラにおける撮像ユニット１５では、光学ＬＰＦ２５及び防塵フイルター２１の周縁に形成され空隙部を含む略密閉された封止空間を形成する封止構造部が構成されている。そして、この封止構造部は、光学ＬＰＦ２５の周縁乃至その近傍から外側の位置に設けられるようになっている。
【００８６】
さらに、本実施形態においては、防塵フイルター２１をその周縁部位乃至その近傍部位に密着して支持する防塵フイルター受け部材２３Ａと、光学ＬＰＦ２５をその周縁部位乃至その近傍部位に密着して支持すると共に、自己の所定部位で防塵フイルター受け部材２３Ａと密に接触するように配設されるＣＣＤケース２４等によって、封止構造部が構成されている。
【００８７】
上述のように構成された本実施形態のカメラ１においては、撮像素子２７の前面側の所定の位置に防塵フイルター２１を対向配設し、撮像素子２７の光電変換面と防塵フイルター２１との周縁に形成される空間を封止する封止空間を形成するように構成したことによって、撮像素子２７の光電変換面に塵埃等が付着するのを予防している。
【００８８】
そしてさらに、防塵フイルター２１の前面側の露出面に付着する塵埃等については、当該防塵フイルター２１の周縁部に一体となるように配設される圧電素子２２に周期電圧を印加して防塵フイルター２１を振動させることで除去することができるようになっている。
【００８９】
以上説明したように上記第１実施形態によれば、封止構造部である防塵フイルター受け部材２３Ａに対して押圧部材２０Ａの弾性力を利用して撮像素子２７の前面側に配設する防塵部材である防塵フイルター２１を押圧することで、両者を略気密的に接合し固定保持するように構成している。
【００９０】
この場合において、板状の押圧部材２０Ａを円環状に形成したので、当該押圧部材２０Ａは、防塵フイルター２１の周縁部近傍の所定の位置を略均等に押圧することになる。したがってこれにより、防塵フイルター２１を安定かつ確実に固定保持することができる。
【００９１】
また、押圧部材２０Ａ、それ自体の形状は極めて単純な形状に形成したので、保持構造部の構成を簡略化することができると共に、これに伴って部材自体の製造が容易であり、かつ撮像ユニット１５の組み立て工程の簡易化をも実現することができるという効果がある。
【００９２】
上述の第１実施形態においては、防塵フイルター２１を防塵フイルター受け部材２３Ａに対して押圧することで両者間を気密的に接合させ防塵フイルター２１を固定保持する保持機構部の構成部材として、板状ばね等の弾性体からなり円環状に形成された押圧部材２０Ａを用いるようにしている。この場合において、防塵フイルター２１は、押圧部材２０Ａの板状表面の所定の範囲において押圧されるようになっている。
【００９３】
しかし、この押圧部材の形態としては、このような形態に限らず、異なる形態の押圧部材を用いるようにしてもよい。以下に、上述の第１実施形態とは異なる形態の押圧部材を用いた変形例を列挙する。
【００９４】
なお、以下に示す各変形例の構成は、基本的には上述の第１実施形態と略同様の構成からなるものである。したがって、同様の構成部材については同じ符号を附してその説明は省略し、異なる部位についてのみ詳述するものとする。
【００９５】
図５・図６は、上述の第１実施形態の第１変形例を示す図であって、図５は撮像ユニットを分解して示す要部分解斜視図である。また図６は、その撮像ユニットの一部を拡大してその断面を示す要部拡大断面斜視図であって、防塵部材及び押圧部材の取り付け部位を拡大して示している。
【００９６】
この第１変形例における押圧部材２０Ａは、当該押圧部材２０Ａが防塵フイルター２１に当接すべき側の表面上に複数（本例では３箇所）の凸部２０Ａｄが形成されてなるものである。この凸部２０Ａｄは、当該撮像ユニット（１５）に押圧部材２０Ａを取り付けたときに、防塵フイルター２１の側に向けて突出するように、例えばプレス加工等により設けられる。
【００９７】
そして、この押圧部材２０Ａが上述の第１実施形態と同様に防塵フイルター２１を介して防塵フイルター受け部材２３Ａの押圧部材固定部２３Ａｇのねじ孔に固定ねじ２０ａで固設されると、当該押圧部材２０Ａの複数の凸部２０Ａｄの各先端部位が防塵フイルター２１の周縁部の所定の部位に当接し、これを押圧することになる。したがって、押圧部材２０Ａは、防塵フイルター２１の周縁部を複数箇所に設けた凸部２０Ａｄにおいて点接触で押圧するように構成されている。
【００９８】
なお、上述の第１実施形態においては、防塵フイルター受け部材２３Ａに突状部２３Ａａを設け、これにより、当該防塵フイルター受け部材２３Ａに防塵フイルター２１を配設するときの位置決めを行なう位置規制部材の役目を担わせているが、本変形例においては、これを省略して構成している。
【００９９】
つまり、本変形例においては、防塵フイルター２１を固定保持する押圧部材２０Ａをねじ止め固定するために形成される押圧部材固定部２３Ａｇが、防塵フイルター２１の位置規制部材の役目を兼ねるように構成されている。
その他の構成については、上述の第１実施形態の構成に準じる。
【０１００】
このように構成された上記第１変形例では、押圧部材２０Ａに凸部２０Ａｄを設けて形成したことにより、防塵フイルター２１を点接触で押圧することになる。
【０１０１】
また、図７・図８は、上述の第１実施形態の第２変形例を示す図であって、図７は撮像ユニットを分解して示す要部分解斜視図である。また図８は、その撮像ユニットの一部を拡大してその断面を示す要部拡大断面斜視図であって、防塵部材及び押圧部材の取り付け部位を拡大して示している。
【０１０２】
この第２変形例における押圧部材２０Ａは、当該押圧部材２０Ａが防塵フイルター２１に当接すべき側の表面上にその円周方向に沿って円環状の凸溝２０Ａｅが形成されてなるものである。この凸溝２０Ａｅは、当該撮像ユニット（１５）に押圧部材２０Ａを取り付けたときに、防塵フイルター２１の側に向けて突出する周溝となるように、例えばプレス加工等により設けられている。
【０１０３】
そして、この押圧部材２０Ａが上述の第１変形例と同様に防塵フイルター２１を介して防塵フイルター受け部材２３Ａの押圧部材固定部２３Ａｇのねじ孔に固定ねじ２０ａで固設されると、当該押圧部材２０Ａの凸溝２０Ａｅの先端部位が防塵フイルター２１の周縁部の所定の部位に当接し、これを押圧することになる。したがって、押圧部材２０Ａは、防塵フイルター２１の周縁部の所定の部位を凸溝２０Ａｅにおいて線接触で押圧するように構成されている。
【０１０４】
なお、本変形例においても、上述の第１実施形態における防塵フイルター受け部材２３Ａの突状部２３Ａａを省略し、押圧部材固定部２３Ａｇによって防塵フイルター２１の位置規制を行なうように構成している。
その他の構成については、上述の第１実施形態又はその第１変形例の構成に準じる。
【０１０５】
このように構成された上記第２変形例では、押圧部材２０Ａに凸溝２０Ａｅを設けて形成したことから、防塵フイルター２１を線接触で押圧することになる。
【０１０６】
以上説明したように、上述の第１・第２変形例においても、上述の第１実施形態と全く同様の効果を得ることができる。これに加えて、当該第１・第２変形例においては、防塵フイルター２１の周縁部を点接触又は線接触で押圧するように構成したので、防塵フイルター２１の周縁部を平面で押圧するように構成した上述の第１実施形態に比べて、押圧部材２０Ａが防塵フイルター２１の振動を阻害することを抑え、より安定した防塵フイルター２１の振動を得ることができる。
【０１０７】
一方、上述の第１実施形態及び第１・第２変形例においては、押圧部材２０Ａを防塵フイルター受け部材２３Ａに固定する手段として、固定ねじ２０ａを用いたいわゆるねじ止め方式の固定手段を採用している。
【０１０８】
しかし、押圧部材２０Ａの固定手段としては、これに限ることはなく、防塵フイルター２１を介して押圧部材２０Ａを防塵フイルター受け部材２３Ａに固定保持させることができるものであればよい。
【０１０９】
図９・図１０・図１１・図１２・図１３は、上述の第１実施形態の第３変形例を示す図であって、図９は撮像ユニットを分解して示す要部分解斜視図である。図１０は、当該撮像ユニットを組み立てた状態を示す斜視図である。図１１は、図１０のＣ−Ｃ線に沿う断面図である。図１２は、当該撮像ユニットに対して押圧部材を組み附ける際の様子を示す斜視図である。そして、図１３は、当該撮像ユニットの一部を拡大してその断面を示す要部拡大断面斜視図であって、防塵部材及び押圧部材の取り付け部位を拡大して示している。
【０１１０】
この第３変形例における押圧部材２０Ｂの防塵フイルター受け部材２３Ａに対する固定手段は、ねじに因らず、いわゆる嵌め込み方式となっている。そのために、板状ばね等の弾性体によって円環状に形成される押圧部材２０Ｂは、その周縁部において、外方に向けて複数（本実施形態では三箇所）の凸片２０Ｂｂが突設されている。この凸片２０Ｂｂの先端には、略半円形状の切り欠きが形成されている。
【０１１１】
一方、本変形例の防塵フイルター受け部材２３Ａには、上述の第１実施形態における押圧部材固定部２３Ａｇに代えて略同様の役目をする押圧部材固定部２３Ａｈが形成されている。この押圧部材固定部２３Ａｈは、上述の第１実施形態における突状部２３Ａａと同様の機能、即ち防塵フイルター２１の位置規制を行なう役目をしていると共に、押圧部材２０Ｂを固定保持する役目をしている。したがって、本変形例においても上述の第１実施形態における突状部２３Ａａは省略されている。
【０１１２】
また、押圧部材固定部２３Ａｈの先端部には、押圧部材２０Ｂの凸片２０Ｂｂを嵌合させるべく周溝２３Ａｊ（図１１参照）を基部に備えた嵌合凸部２３Ａｉが突設されている。
【０１１３】
したがって、押圧部材２０Ｂの複数の凸片２０Ｂｂにそれぞれ形成される半月状切欠部が、防塵フイルター受け部材２３Ａの複数の押圧部材固定部２３Ａｈにそれぞれ設けられる嵌合凸部２３Ａｉの周溝２３Ａｊにそれぞれ嵌合することによって、押圧部材２０Ｂは、防塵フイルター２１を介して防塵フイルター受け部材２３Ａに取り付けられるようになっている。
【０１１４】
そして、当該押圧部材２０Ｂが防塵フイルター受け部材２３Ａに取り付けられた状態では、押圧部材２０Ｂの円環状の平板部は、防塵フイルター２１の周縁部の所定の部位に当接し、自身の弾性力により防塵フイルター２１を防塵フイルター受け部材２３Ａの側に向けて押圧することになる。
【０１１５】
なお、押圧部材２０Ｂを防塵フイルター受け部材２３Ａの押圧部材固定部２３Ａｈに設けられる嵌合凸部２３Ａｉの周溝２３Ａｊに嵌合させるには、次に示す手順によって行なう。
【０１１６】
即ち、図１２に示すように押圧部材２０Ｂを自身の弾性力に抗して所定の方向に湾曲させる。この状態において、押圧部材２０Ｂの複数の凸片２０Ｂｂのそれぞれを各対応する嵌合凸部２３Ａｉの周溝２３Ａｊに嵌合し得る位置に配置する。この状態で押圧部材２０Ｂに加えていた弾性力に抗する力量を解放すると当該押圧部材２０Ｂは、自身の弾性力によって所定の形態に復元し、よって凸片２０Ｂｂの各切欠部は、各対応する嵌合凸部２３Ａｉの周溝２３Ａｊに嵌合する。
その他の構成については、上述の第１実施形態の構成に準じる。
【０１１７】
このような構成とすれば、上述の第１実施形態と同様の効果を得ることができる。これに加えて、当該第３変形例では、押圧部材２０Ｂを嵌め込み方式の固定手段としたので、押圧部材２０Ｂを防塵フイルター受け部材２３Ａの所定の位置に固定する際の組立工程を簡略化することができ、ねじ止め方式の固定手段に比べて、押圧部材２０Ｂの取り付け作業をより簡単にすることができる。したがって、製造工程の効率化及び生産性の向上を得られると同時に、製造コストの低減化にも寄与することができる。
【０１１８】
なお、上記第３変形例に示す嵌め込み方式の押圧部材についても、上述の第１・第２変形例と同様に防塵フイルター２１の周縁部を点接触又は線接触で押圧する形態のものとすることは可能である。次に示す図１４・図１５において、その例を示す。
【０１１９】
図１４は、上述の第１実施形態の第４変形例を示し、撮像ユニットの一部を拡大してその断面を示す要部拡大断面斜視図であって、防塵部材及び押圧部材の取り付け部位を拡大して示している。
【０１２０】
この第４変形例における押圧部材２０Ｂは、上述の第１変形例（図５・図６参照）と同様に、防塵フイルター２１に当接すべき側の表面上に複数（本例では３箇所）の凸部２０Ｂｄが形成されている。この凸部２０Ｂｄは、上述の第１変形例の押圧部材２０Ａの凸部２０Ａｄと略同形態に形成されるものである。
【０１２１】
そして、この押圧部材２０Ｂの凸片２０Ｂｂが、上述の第３変形例と同様に防塵フイルター受け部材２３Ａの押圧部材固定部２３Ａｈの嵌合凸部２３Ａｉの周溝２３Ａｊに嵌め込まれることで、押圧部材２０Ｂと防塵フイルター受け部材２３Ａとが防塵フイルター２１を介して接合されると、当該押圧部材２０Ｂの複数の凸部２０Ｂｄの各先端部位が防塵フイルター２１の周縁部の所定の部位に当接し、これを押圧することになる。したがって、押圧部材２０Ｂは、防塵フイルター２１の周縁部を複数箇所の凸部２０Ｂｄにおいて点接触で押圧するように構成されている。
【０１２２】
また、本変形例においても、上述の第１実施形態における防塵フイルター受け部材２３Ａの突状部２３Ａａを省略し、防塵フイルター２１を固定保持する押圧部材２０Ｂを嵌め込み固定するために形成される押圧部材固定部２３Ａｈが、防塵フイルター２１の位置規制部材の役目を兼ねるように構成されている。
その他の構成については、上述の第１実施形態の構成に準じる。
【０１２３】
このように構成された上記第４変形例では、押圧部材２０Ｂを嵌め込み方式で構成すると共に、押圧部材２０Ｂに凸部２０Ｂｄを設けて形成したことにより、防塵フイルター２１を点接触で押圧することになる。
【０１２４】
図１５は、上述の第１実施形態の第５変形例を示し、撮像ユニットの一部を拡大してその断面を示す要部拡大断面斜視図であって、防塵部材及び押圧部材の取り付け部位を拡大して示している。
【０１２５】
この第５変形例における押圧部材２０Ｂは、上述の第２変形例（図７・図８参照）と同様に、防塵フイルター２１に当接すべき側の表面上にその円周方向に沿って円環状の凸溝２０Ｂｅが形成されている。この凸溝２０Ｂｅは、上述の第２変形例の押圧部材２０Ａの凸溝２０Ａｅと略同形態に形成されるものである。
【０１２６】
そして、この押圧部材２０Ｂの凸片２０Ｂｂが、上述の第２変形例と同様に防塵フイルター受け部材２３Ａの押圧部材固定部２３Ａｈの嵌合凸部２３Ａｉの周溝２３Ａｊに嵌め込まれることで、押圧部材２０Ｂと防塵フイルター受け部材２３Ａとが防塵フイルター２１を介して接合されると、当該押圧部材２０Ｂの凸溝２０Ｂｅの先端部位が防塵フイルター２１の周縁部の所定の部位に当接し、これを押圧することになる。したがって、押圧部材２０Ｂは、防塵フイルター２１の周縁部の所定の部位を凸溝２０Ｂｅにおいて線接触で押圧するように構成されている。
【０１２７】
なお、本変形例においても、上述の第１実施形態における防塵フイルター受け部材２３Ａの突状部２３Ａａを省略し、防塵フイルター２１を固定保持する押圧部材２０Ｂを嵌め込み固定するために形成される押圧部材固定部２３Ａｈが、防塵フイルター２１の位置規制部材の役目を兼ねるように構成されている。
その他の構成については、上述の第１実施形態の構成に準じる。
【０１２８】
このように構成された上記第５変形例では、押圧部材２０Ｂに凸溝２０Ｂｅを設けて形成したことから、防塵フイルター２１を線接触で押圧することになる。
【０１２９】
以上説明したように、上述の第４・第５変形例においても、上述の第３変形例と全く同様の効果を得ることができる。これに加えて、当該第４・第５変形例においても、防塵フイルター２１の周縁部を点接触又は線接触で押圧するように構成したので、防塵フイルター２１の周縁部を平面で押圧するように構成した上述の第３変形例に比べて、押圧部材２０Ｂが防塵フイルター２１の振動を阻害することを抑え、より安定した防塵フイルター２１の振動を得ることができる。
【０１３０】
次に、本発明の第２の実施形態のカメラについて、以下に説明する。
本実施形態の構成も基本的には上述の第１実施形態と略同様の構成からなるものであって、封止構造部の一部を構成する防塵フイルター受け部材２３と、この防塵フイルター受け部材２３に対して防塵フイルター２１（防塵部材）を接合させ固定保持する押圧部材の形態が異なるのみである。したがって、上述の第１実施形態と同様の構成については、同じ符号を附してその詳細な説明は省略し、異なる部位についてのみ、以下に詳述する。また、カメラ全体の構成については、図示を省略し、上述の第１実施形態の説明に用いた図１・図２を参照するものとする。
【０１３１】
ここで、本実施形態のカメラ（１）における撮像ユニット１５の詳細を、以下に説明する。
図１６・図１７・図１８は、本発明の第２実施形態のカメラにおける撮像ユニットの一部を取り出して示す図であって、図１６は、当該撮像ユニットを分解して示す要部分解斜視図である。図１７は、組み立てた状態の当該撮像ユニットの一部を切断して示す斜視図である。図１８は、図１７の切断面に沿う断面図である。
【０１３２】
なお、本実施形態のカメラの撮像ユニット１５は、上述したようにシャッター部１４を含む複数の部材によって構成されるユニットであるが、図１６〜図１８においては、その主要部を図示するに留め、シャッター部１４の図示は省略している。また、各構成部材の位置関係を示すために、図１６〜図１８においては、当該撮像ユニット１５の近傍に設けられ、撮像素子２７が実装されると共に、画像信号処理回路１６ａ及びワークメモリ１６ｂ等からなる撮像系の電気回路が実装される主回路基板１６を合わせて図示している。なお、この主回路基板１６、それ自体の詳細については、従来のカメラ等において一般的に利用されているものが適用されるものとして、その説明は省略する。
【０１３３】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフイルター（Ｌow Pass Filter；以下、光学ＬＰＦという）２５と、この光学ＬＰＦ２５と撮像素子２７との間の周縁部に配置され、略枠形状の弾性部材等によって形成されるローパスフイルター受け部材２６と、撮像素子２７を収納し固定保持すると共に光学ＬＰＦ２５（光学素子）をその周縁部位乃至その近傍部位に密着して支持しかつ所定の部位を後述する防塵フイルター受け部材２３に密に接触するように配設される撮像素子収納ケース部材（以下、ＣＣＤケースという）２４と、このＣＣＤケース２４の前面側に配置され防塵フイルター２１（防塵部材）をその周縁部位乃至その近傍部位に密着して支持する防塵フイルター受け部材２３と、この防塵フイルター受け部材２３によって支持されて撮像素子２７の光電変換面の側であって光学ＬＰＦ２５の前面側において当該光学ＬＰＦ２５との間に所定の間隔を持つ所定の位置に対向配設される光学部材であり防塵部材である防塵フイルター２１と、この防塵フイルター２１の周縁部に配設され当該防塵フイルター２１に対して所定の振動を与えるための加振用部材であり例えば電気機械変換素子等からなる圧電素子２２と、防塵フイルター２１を防塵フイルター受け部材２３に対して気密的に接合させ固定保持する弾性体からなる複数の押圧部材２０等によって構成されている。
【０１３４】
撮像素子２７は、撮影光学系１２ａを透過した被写体光束を自己の光電変換面に受けて光電変換処理を行なうことによって、当該光電変換面に形成される被写体像に対応した画像信号を取得するものであって、例えば電荷結合素子（ＣＣＤ；Ｃharge Ｃoupled Ｄevice）が適用されている。
【０１３５】
この撮像素子２７は、撮像素子固定板２８を介して主回路基板１６上の所定の位置に実装されている。この主回路基板１６には、上述したように画像信号処理回路１６ａ及びワークメモリ１６ｂ等が共に実装されており、撮像素子２７からの出力信号、即ち光電変換処理により得られた画像信号が画像信号処理回路１６ａ等へと電送されるようになっている。
【０１３６】
この画像信号処理回路１６ａにおいてなされる信号処理としては、例えば撮影光学系装着部１１ａに装着されたレンズ鏡筒１２の内部に保持される撮影光学系１２ａによって撮像素子２７の光電変換面上に結像された像に対応するものとして当該撮像素子２７から得られた画像信号を記録に適合する形態の信号に変換する処理等、各種の信号処理である。このような信号処理は、電子的な画像信号を取り扱うように構成される一般的なデジタルカメラ等において通常になされる処理と同様である。したがって、本実施形態におけるカメラ（１）において実行される各種の信号処理についての詳細な説明は省略する。
【０１３７】
撮像素子２７の前面側には、ローパスフイルター受け部材２６を挟んで光学ＬＰＦ２５が配設されている。そして、これを覆うようにＣＣＤケース２４が配設されている。
【０１３８】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。この開口２４ｃの後方側の内周縁部には、図１７・図１８に示すように断面が略Ｌ字形状からなる段部２４ａが形成されている。
【０１３９】
上述したように、光学ＬＰＦ２５と撮像素子２７との間には、弾性部材等からなるローパスフイルター受け部材２６が配設されている。このローパスフイルター受け部材２６は、撮像素子２７の前面側の周縁部においてその光電変換面の有効範囲を避ける位置に配設され、かつ光学ＬＰＦ２５の背面側の周縁部近傍に当接するようになっている。そして、光学ＬＰＦ２５と撮像素子２７との間を略気密性が保持されるようにしている。これにより、光学ＬＰＦ２５には、ローパスフイルター受け部材２６による光軸方向への弾性力が働くことになる。
【０１４０】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフイルター受け部材２６による弾性力に抗して当該光学ＬＰＦ２５の光軸方向における位置を規制するようにしている。
【０１４１】
換言すれば、ＣＣＤケース２４の開口２４ｃの内部に背面側より挿入された光学ＬＰＦ２５は、段部２４ａによって光軸方向における位置規制がなされている。これにより、当該光学ＬＰＦ２５は、ＣＣＤケース２４の内部から前面側へ向けて外部に抜け出ないようになっている。
【０１４２】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合において、光学ＬＰＦ２５と撮像素子２７との間には、周縁部においてローパスフイルター受け部材２６が挟持されるようになっている。
【０１４３】
また、撮像素子２７は、上述したように撮像素子固定板２８を挟んで主回路基板１６に実装されている。そして、撮像素子固定板２８は、ＣＣＤケース２４の背面側からねじ孔２４ｅに対してねじ２８ｂによってスペーサ２８ａを介して固定されている。また、撮像素子固定板２８には、主回路基板１６がスペーサ１６ｃを介してねじ１６ｄによって固定されている。
【０１４４】
ＣＣＤケース２４の前面側には、防塵フイルター受け部材２３がＣＣＤケース２４のねじ孔２４ｂに対してねじ２３ｂによって固定されている。この場合において、ＣＣＤケース２４の周縁側であって前面側の所定の位置には、図１７・図１８において詳細に示すように、周溝２４ｄが略環状に形成されている。その一方で、防塵フイルター受け部材２３の周縁側であって背面側の所定の位置には、ＣＣＤケース２４の周溝２４ｄに対応させた環状凸部２３ｄ（図１６には図示出来ず。図１７・図１８参照）が全周にわたって略環状に形成されている。したがって、環状凸部２３ｄと周溝２４ｄとが嵌合することによりＣＣＤケース２４と防塵フイルター受け部材２３とは、環状の領域、即ち周溝２４ｄと環状凸部２３ｄとが形成される領域において相互に略気密的に嵌合するようになっている。
【０１４５】
防塵フイルター２１は、全体として円形乃至多角形の板状をなし、少なくとも自己の中心から放射方向に所定の広がりを持つ領域が透明部をなしており、この透明部が光学ＬＰＦ２５の前面側に所定の間隔を持って対向配設されているものである。
【０１４６】
また、防塵フイルター２１の一方の面（本実施形態では背面側）の周縁部には、当該防塵フイルター２１に対して振動を与えるための所定の加振用部材であり電気機械変換素子等によって形成される圧電素子２２が一体となるように、例えば接着剤による貼着等の手段により配設されている。この圧電素子２２は、外部から所定の駆動電圧を印加することによって防塵フイルター２１に所定の振動を発生させることができるように構成されている。
【０１４７】
そして、防塵フイルター２１は、防塵フイルター受け部材２３に対して気密的に接合するように板状ばね等の弾性体からなる複数の押圧部材２０によって固定保持されている。
【０１４８】
防塵フイルター受け部材２３の略中央部近傍には、円形状又は多角形状からなる開口２３ｆが設けられている。この開口２３ｆは、撮影光学系１２ａを透過した被写体光束を通過させて、当該光束が後方に配置される撮像素子２７の光電変換面を照射するのに充分な大きさとなるように設定されている。
【０１４９】
この開口２３ｆの周縁部には、前面側に突出する壁部２３ｅ（図１７・図１８参照）が略環状に形成されており、この壁部２３ｅの先端側には、さらに前面側に向けて突出するように受け部２３ｃが形成されている。
【０１５０】
一方、防塵フイルター受け部材２３の前面側の外周縁部近傍には、所定の位置に複数（本実施形態では三箇所）の押圧部材固定部２３ａが前面側に向けて突出するように形成されている。この押圧部材固定部２３ａは、防塵フイルター２１を固定保持する押圧部材２０を固設するために形成される部位であって、当該押圧部材２０は、押圧部材固定部２３ａの先端部に対して固定ねじ２０ａ等の締結手段により固設されている。
【０１５１】
押圧部材２０は、上述したように板状ばね等の弾性体によって形成される部材であって、その基端部が押圧部材固定部２３ａに固定され、自由端部が防塵フイルター２１の外周縁部に当接することで、当該防塵フイルター２１を防塵フイルター受け部材２３の側、即ち光軸方向に向けて押圧するようになっている。
【０１５２】
なお、この場合において、押圧部材２０の先端部近傍には、上述の第１実施形態の第１変形例における押圧部材２０Ａの凸部２０Ａｄと同様の凸部が形成されている（図５等を参照）。
【０１５３】
即ち、本実施形態の押圧部材２０のそれぞれには、各押圧部材２０が防塵フイルター２１に当接すべき側の表面上に凸部が形成されている。この凸部は、当該撮像ユニット１５に押圧部材２０を取り付けたときに、防塵フイルター２１の側に向けて突出するように、例えばプレス加工等により形成される。このように押圧部材２０に凸部を設けて形成したことから、防塵フイルター２１は点接触で押圧されることになる。
【０１５４】
この場合において、防塵フイルター２１の背面側の外周縁部に配設される圧電素子２２の所定の部位が、受け部２３ｃに当接することで、防塵フイルター２１及び圧電素子２２の光軸方向における位置が規制されるようになっている。したがってこれにより、防塵フイルター２１は、圧電素子２２を介して防塵フイルター受け部材２３に対して気密的に接合するように固定保持されている。
【０１５５】
換言すれば、防塵フイルター受け部材２３は、押圧部材２０による附勢力によって防塵フイルター２１と圧電素子２２を介して気密的に接合するように構成されている。
【０１５６】
ところで、上述したように防塵フイルター受け部材２３とＣＣＤケース２４とは、周溝２４ｄと環状凸部２３ｄ（図１７・図１８参照）とが相互に略気密的に嵌合するようになっている。これと共に、防塵フイルター受け部材２３と防塵フイルター２１とは、押圧部材２０の附勢力により圧電素子２２を介して気密的に接合するようになっている。また、ＣＣＤケース２４に配設される光学ＬＰＦ２５は、光学ＬＰＦ２５の前面側の周縁部とＣＣＤケース２４の段部２４ａとの間で略気密的となるように配設されている。さらに、光学ＬＰＦ２５の背面側には、撮像素子２７がローパスフイルター受け部材２６を介して配設されており、光学ＬＰＦ２５と撮像素子２７との間においても、略気密性が保持されるようになっている。
【０１５７】
したがってこれにより、光学ＬＰＦ２５と防塵フイルター２１とが対向する間の空間には、所定の空隙部５１ａが形成されている。また、光学ＬＰＦ２５の周縁側、即ちＣＣＤケース２４と防塵フイルター受け部材２３と防塵フイルター２１とによって、空間部５１ｂが形成されている。この空間部５１ｂは、光学ＬＰＦ２５の外側に張り出すようにして形成されている封止された空間である（図１７・図１８参照）。また、この空間部５１ｂは、空隙部５１ａよりも広い空間となるように設定されている。そして、空隙部５１ａと空間部５１ｂとからなる空間は、上述した如くＣＣＤケース２４と防塵フイルター受け部材２３と防塵フイルター２１と光学ＬＰＦ２５とによって略気密的に封止される封止空間５１となっている。
【０１５８】
このように、本実施形態のカメラにおける撮像ユニット１５では、光学ＬＰＦ２５及び防塵フイルター２１の周縁に形成され空隙部５１ａを含む略密閉された封止空間５１を形成する封止構造部が構成されている。そして、この封止構造部は、光学ＬＰＦ２５の周縁乃至その近傍から外側の位置に設けられるようになっている。
【０１５９】
さらに、本実施形態においては、防塵フイルター２１をその周縁部位乃至その近傍部位に密着して支持する防塵フイルター受け部材２３と、光学ＬＰＦ２５をその周縁部位乃至その近傍部位に密着して支持すると共に、自己の所定部位で防塵フイルター受け部材２３と密に接触するように配設される第２の部材であるＣＣＤケース２４等によって封止構造部が構成されている。
【０１６０】
上述のように構成された本実施形態のカメラにおいては、撮像素子２７の前面側の所定の位置に防塵フイルター２１を対向配設し、撮像素子２７の光電変換面と防塵フイルター２１との周縁に形成される封止空間５１を封止するように構成したことによって、撮像素子２７の光電変換面に塵埃等が付着するのを予防している。
【０１６１】
そして、この場合においては、防塵フイルター２１の前面側の露出面に付着する塵埃等については、当該防塵フイルター２１の周縁部に一体となるように配設される圧電素子２２に周期電圧を印加して防塵フイルター２１に対して所定の振動を与えることで、除去することができるようになっている。
【０１６２】
図１９は、本カメラ１における撮像ユニット１５のうち防塵フイルター２１及びこれに一体に設けられる圧電素子２２のみを取り出して示す正面図である。また、図２０・図２１は、図１９の圧電素子２２に対して駆動電圧を印加した際の防塵フイルター２１及び圧電素子２２の状態変化を示し、図２０は図１９のＡ−Ａ線に沿う断面図、図２１は図１９のＢ−Ｂ線に沿う断面図である。
【０１６３】
ここで、例えば圧電素子２２に負（マイナス；−）電圧を印加した場合には、防塵フイルター２１は、図２０・図２１において実線で示すように変形する一方、圧電素子２２に正（プラス；＋）電圧を印加した場合には、防塵フイルター２１は、同図において点線で示すように変形することになる。
【０１６４】
この場合において、図１９〜図２１の符号２１ａで示すような振動の節の位置では、実質的に振幅は零になることから、この節２１ａに対応する部位に防塵フイルター受け部材２３の受け部２３ｃを当接させるように設定する。これにより、振動を阻害することなく防塵フイルター２１を効率的に支持し得ることになる。
【０１６５】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【０１６６】
なお、このときの共振周波数は、防塵フイルター２１の形状や板厚・材質等により決まるものである。上述の図１９〜図２１に示す例では、１次の振動を発生させた場合を示しているが、これに限らず、高次の振動を発生させるようにしてもよい。
【０１６７】
図２２〜図２４に示す別の例示では、図１９〜図２１に示す例と全く同じ構成の防塵フイルターに対して２次振動を発生させた場合のようすを示している。
【０１６８】
この場合において、図２２は、図１９と同様に本カメラ１における撮像ユニット１５のうち防塵フイルター２１及びこれに一体に設けられる圧電素子２２のみを取り出して示す正面図である。また、図２３・図２４は、図２２の圧電素子２２に対して印加した際の防塵フイルター２１及び圧電素子２２の状態変化を示し、図２３は図２２のＡ−Ａ線に沿う断面図、図２４は図２２のＢ−Ｂ線に沿う断面図である。
【０１６９】
ここで、例えば圧電素子２２に負（マイナス；−）電圧を印加した場合には、防塵フイルター２１は、図２３・図２４において実線で示すように変形する一方、圧電素子２２に正（プラス；＋）電圧を印加した場合には、防塵フイルター２１は、同図において点線で示すように変形することになる。
【０１７０】
この場合においては、図２２〜図２４に示す符号２１ａ・２１ｂようにこの振動では二対の節が存在することになるが、節２１ａに対応する部位に防塵フイルター受け部材２３の受け部２３ｃを当接させるように設定することで、上述の図１９〜図２１に示す例と同様に、振動を阻害することなく防塵フイルター２１を効率的に支持し得ることになる。
【０１７１】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【０１７２】
なお、図１９〜図２１に示すように１次の振動を発生させた場合には、防塵フイルター２１の振幅によって封止空間５１は、符号Ｃで示す分の容積変化が生じることになる。一方、図２２〜図２４に示すように２次の振動を発生させた場合には、防塵フイルター２１の振幅によって生じる封止空間５１の容積変化は、符号Ｄ１で示す領域から符号Ｄ２で示す領域×２を差し引いた分（Ｄ１−（Ｄ２×２））となる。
【０１７３】
封止空間５１に対する容積変化が少ないほど、封止空間５１の内部における内圧の変化は小さいことから、封止空間５１の容積変化は少ないほど効率的な振動を得ることができることがわかる。したがって、電気機械変換の効率の点では、発生させる振動は、高次となるように設定するのが望ましい。
【０１７４】
以上説明したように上記第２実施形態によれば、光学ＬＰＦ２５（光学素子）と防塵フイルター２１（防塵部材）との両者が対向して形成される空隙部５１ａを含む略密閉された封止空間５１を構成すべく光学ＬＰＦ２５及び防塵フイルター２１の周縁側で空間部５１ｂを封止するようにした封止構造部を、光学ＬＰＦ２５の周縁乃至その近傍から外側に設けるように構成したので、空間部の一定の容積を確保するについて、光学ＬＰＦ２５（光学素子）と防塵フイルター２１（防塵部材）との間隔を短く設定することができる。
【０１７５】
一般に、光学ＬＰＦ２５（光学素子）と防塵フイルター２１（防塵部材）との間隔を短く設定すると、空隙部５１ａの容積が少なくなることから圧電素子２２（加振用部材）によって防塵フイルター２１に振動を与える際に封止空間５１の内圧が高くなってしまうことは周知である。しかし、封止空間５１の内圧が高い場合には、圧電素子２２による防塵フイルター２１の振動を阻害してしまう傾向がある。
【０１７６】
一方、封止空間５１の容積を確保するために光学ＬＰＦ２５（光学素子）と防塵フイルター２１（防塵部材）との間隔を長くなるように設定した場合には、撮像ユニット１５の光軸方向における寸法も大きくなってしまうことになり、カメラ１の光軸方向における小型化を阻害する要因になる。
【０１７７】
そこで、本実施形態においては、光学ＬＰＦ２５の周縁乃至その近傍から外側に空間部５１ｂを設けることで、封止空間５１の充分な容積を確保して、圧電素子２２による防塵フイルター２１の振動を阻害することなく、撮像ユニット１５の光軸方向における寸法の長大化を抑えることができる。したがって、カメラ１の光軸方向における小型化に寄与することが容易にできる。
【０１７８】
また、防塵フイルター２１（防塵部材）を防塵フイルタ-受け部材２３（封止構造部）に対して押圧固定するための保持構造部を、複数の押圧部材２０等によって構成することで、防塵フイルター２１の周縁部の複数箇所を押圧するように構成している。
【０１７９】
つまり、押圧部材２０による防塵フイルター２１の押圧部位を複数箇所に限定していることから、当該防塵フイルター２１が圧電素子２２の作用によって振動するときに、その振動を阻害することなく、確実かつ安定した状態で防塵フイルター２１を防塵フイルタ-受け部材２３に押圧し固定保持することができる。
【０１８０】
なお、上述の第２実施形態においては、複数の押圧部材２０を板状ばね等の弾性部材で形成し、防塵フイルター２１に当接する側の面には凸部を設けて形成しているが、これに代えて、凸部を設けない平板状の押圧部材を用いる形態（上述の第１実施形態に準じる形態）で構成してもよいし、凸部に代えて凸溝を設けて形成した押圧部材を用いる形態（上述の第１実施形態の第２変形例に準じる形態）としてもよい。
【０１８１】
一方、上述の第２実施形態においては、複数の押圧部材２０を防塵フイルター受け部材に固定する手段として、固定ねじ２０ａを利用したねじ止め方式の固定手段を採用しているが、これとは異なる固定手段も考えられる。以下に、上述の第２実施形態とは異なる形態の押圧部材を用いた変形例を列挙する。
【０１８２】
なお、以下に示す各変形例の構成は、基本的には上述の第２実施形態と略同様の構成からなるものである。したがって、同様の構成部材については同じ符号を附してその説明は省略し、異なる部位についてのみ詳述するものとする。
【０１８３】
図２５・図２６・図２７・図２８は、上述の第２実施形態の第１変形例を示し、図２５は、本変形例の撮像ユニットの概略を示す斜視図である。図２６は、押圧部材と押圧部材固定部とを取り出して拡大して示す要部拡大分解斜視図である。また、図２７〜図２８は、押圧固定部に対して押圧部材を取り付け固定する際の手順を示す作用図である。
【０１８４】
図２５・図２６に示すように、この第１変形例における押圧部材２０Ｃは、当該押圧部材２０Ｃが防塵フイルター２１に当接すべき側の表面上に凸部２０Ｃｄを形成した形態となっている。この凸部２０Ｃｄは、当該撮像ユニット１５に押圧部材２０Ｃを取り付けたときに、防塵フイルター２１の側に向けて突出するように、例えばプレス加工等により設けられる部位である。そして、当該押圧部材２０Ｃの基端部２０Ｃｂには、大径部と小径部とが連設してなる瓢箪型の穿孔２０Ｃｃと切欠部２０Ｃｆとがそれぞれ所定の位置に形成されている。
【０１８５】
これに対して、本撮像ユニット１５の封止構造部の一部を構成する防塵フイルター受け部材２３Ｃには、その前面側の外周縁部近傍の所定の位置に複数（本例では三箇所）の押圧部材固定部２３Ｃａが前面側に向けて突出するように形成されている。この押圧部材固定部２３Ｃａは、防塵フイルター２１を固定保持するための複数の押圧部材２０Ｃを固設するために形成される部位である。
【０１８６】
そのために、当該押圧部材固定部２３Ｃａの先端面上には、押圧部材２０Ｃの穿孔２０Ｃｃを嵌合させるための周溝２３Ｃｊ（図２６参照）を基部に備えた嵌合凸部２３Ｃｉと、押圧部材２０Ｃの切欠部２０Ｃｆに係合しこれを位置決めする突起部２３Ｃｋとがそれぞれ所定の位置に突設されている。
その他の構成については、上述の第２実施形態の構成に準じる。
【０１８７】
このように構成された防塵フイルター受け部材２３Ｃの押圧部材固定部２３Ｃａに対して押圧部材２０Ｃを取り付ける際には、まず、押圧部材固定部２３Ｃａの嵌合凸部２３Ｃｉを押圧部材２０Ｃの穿孔２０Ｃｃの大径部に嵌め込んで、図２７に示す状態とする。
【０１８８】
この状態で、押圧部材２０Ｃを図２７に示す矢印Ｈ方向に摺動させる。すると、押圧部材２０Ｃの穿孔２０Ｃｃの小径部は、押圧部材固定部２３Ｃａの嵌合凸部２３Ｃｉの周溝２３Ｃｊに嵌合する。さらに押圧部材２０Ｃを同方向に摺動させると、押圧部材２０Ｃの切欠部２０Ｃｆが押圧部材固定部２３Ｃａの嵌合凸部２３Ｃｉに係合して、図２８に示す状態となる。
【０１８９】
このとき、押圧部材２０Ｃの穿孔２０Ｃｃの小径部が、押圧部材固定部２３Ｃａの嵌合凸部２３Ｃｉの周溝２３Ｃｊに嵌合することで、押圧部材２０Ｃの図２８に示す矢印Ｊ方向への移動を規制している。また、押圧部材２０Ｃの切欠部２０Ｃｆが、押圧部材固定部２３Ｃａの嵌合凸部２３Ｃｉに係合することで、当該押圧部材２０Ｃが切欠部２０Ｃｆが押圧部材固定部２３Ｃａの嵌合凸部２３Ｃｉを中心とする矢印ｋ方向への回動を規定している。これにより、押圧部材２０Ｃは、押圧部材固定部２３Ｃａに対して確実に固定されることになる。
【０１９０】
このようにして、押圧部材２０Ｃが防塵フイルター２１を介して防塵フイルター受け部材２３Ｃの押圧部材固定部２３Ｃａに嵌め込み固定されると、複数の押圧部材２０Ｃの各凸部２０Ｃｄが防塵フイルター２１の周縁部の所定の複数部位に当接し、これを押圧する。したがってこれにより、押圧部材２０Ｃは、防塵フイルター２１の周縁部の複数箇所において点接触で押圧する。
【０１９１】
以上説明したように、上記第２実施形態の第１変形例においては、複数の押圧部材２０Ｃの防塵フイルター受け部材２３Ｃへの固定手段として、ねじ等に因らない、いわゆる嵌め込み方式の固定手段によって構成するようにしたので、製造時における組立工程を簡易化し、製造工程の効率化に寄与すると共に、製造コストの低減化にも寄与することができる。
【０１９２】
図２９は、本発明の第２実施形態の第２変形例を示す要部拡大分解斜視図であって、上述の第１変形例における押圧部材２０Ｃから凸部２０Ｃｄを省略して形成した場合の例を示している。
【０１９３】
また、図３０は、本発明の第２実施形態の第３変形例を示す要部拡大分解斜視図であって、上述の第１変形例における押圧部材２０Ｃの凸部２０Ｃｄに代えて凸溝２０Ｃｅを形成した場合の例を示している。
【０１９４】
このような形態とした場合には、押圧部材２０Ｃは複数箇所で防塵フイルター２１を線接触で押圧することになる。
【０１９５】
ところで、上述の各実施形態及びそれらについての各変形例においては、押圧部材を板状ばね等の弾性体によって形成するようにしている。この押圧部材が防塵フイルター（防塵部材）を押圧し、これを防塵フイルター受け部材（封止構造部）に押圧固定するために必要とする弾性力や部材強度等を考慮すると、押圧部材自身の材質は、例えば金属等によって形成するのが一般である。
【０１９６】
しかし、押圧部材を金属等の硬質部材のみによって形成した場合、当該押圧部材と防塵フイルターとの接触部位において、防塵フイルターの振動を阻害してしまう場合も考えられる。
【０１９７】
そこで、例えばプラスチック等の合成樹脂や硬質ゴム等の軟質部材を用いて押圧部材を形成することが考えられる。
【０１９８】
例えば、図３１は、本発明の第３の実施形態における押圧部材の一変形例を示し、当該押圧部材に形成すべき凸部を一体的に形成するようにした場合の例を示す断面図である。
【０１９９】
この押圧部材３０Ａは、例えば上述のプラスチック等の合成樹脂や硬質ゴム等の弾性力を備えた軟質部材を用いて形成されている。そして、この場合において、押圧部材３０Ａの凸部の形状としては、図２８に示す形状又は図３０に示す形状のいずれでもよく、防塵フイルター２１の周縁部の所定の円環状領域を点接触又は線接触で押圧するように構成される。
【０２００】
また、上述の第１実施形態と同様に、押圧部材３０Ａを円環形状に形成した形態にも対応することは容易にできる。
【０２０１】
この押圧部材３０Ａの例よりも、さらに弾性力を必要とするような場合もある。その場合には、例えば図３２に示すような形態のもので対応することができる。
【０２０２】
即ち、図３２は、当該第３実施形態における押圧部材の別の変形例を示す断面図である。
【０２０３】
この押圧部材３０Ｂは、板状の金属部材３１の周囲に上述の図３１に示す一変形例と同様の材質の部材３２を同様の形状となるように形成している。つまり、当該押圧部材３０Ｂを防塵フイルター受け部材（２３Ｃ）に取り付けたときに、防塵フイルター２１に当接すべき部位に凸部２０ｄを設けて形成しているものである。
【０２０４】
即ち、図３１・図３２に示す上述の一変形例又は別の変形例では、押圧部材３０Ａ・３０Ｂの少なくとも防塵フイルター２１と接する部位、即ち凸部２０ｄは、例えばプラスチック等の合成樹脂や硬質ゴム等によって形成している。
【０２０５】
このように形成した押圧部材３０Ａ・３０Ｂを用いる撮像ユニット（１５）においては、所定のときに圧電素子２２に対して周期電圧を印加することで防塵フイルター２１に所定の振動を与えた場合において、防塵フイルター２１の振動が押圧部材３０Ａ・３０Ｂの側へ伝達されてしまうことを抑えることができる。
【０２０６】
つまり、防塵のために振動すべき部材は防塵フイルター２１のみであり、その他の部材が振動する必要はないのであるが、上述したように押圧部材３０Ａ・３０Ｂの凸部２０ｄを軟質部材で形成したので、防塵フイルター２１から伝達される振動を押圧部材３０Ａ・３０Ｂ自身が、ある程度吸収するようになっている。
【０２０７】
したがって、押圧部材３０Ａ・３０Ｂは、防塵フイルター２１を防塵フイルター受け部材２３の側へと押圧して、両者の接合状態を保持しながら防塵フイルター２１を固定保持する保持構造部の一部を構成しているのと同時に、防塵フイルター２１から押圧部材３０Ａ・３０Ｂを介して他の部材等へ振動を伝達しないようにする振動吸収部材の役目も兼ねている。
【０２０８】
なお、この振動吸収部材を兼ね備えた押圧部材の形態としては、次に示すような形態も考えられる。
【０２０９】
図３３・図３４は、上述の第３実施形態のさらに別の変形例を示し、図３３は押圧部材のみを取り出して示す断面図である。また、図３４は、図３３の押圧部材を適用した撮像ユニットの一部を拡大して示す要部拡大断面図である。
【０２１０】
この変形例における押圧部材３０Ｃは、例えば金属等の硬質部材からなり弾性力を有する平板状ばね部材３４と、この平板状ばね部材３４の所定の位置に配設される振動吸収部材３３とによって構成されている。
【０２１１】
振動吸収部材３３は、例えばフェルト・ウレタン・軟質プラスチック・ゴム等の軟質部材が適用され、平板状ばね部材３４の所定の位置に、例えば接着剤又は両面テープ等によって貼着されている。
【０２１２】
そして、押圧部材３０Ｃが、図３４に示すように、固定ねじ２０ａによって防塵フイルター受け部材２３の押圧部材固定部２３ａにねじ止め固定された状態において、当該押圧部材３０Ｃに貼着された振動吸収部材３３は、防塵フイルター２１の振動時の節となる部位に当接するように設定されている。
その他の構成は、上述の第２実施形態に準じるものとする。
【０２１３】
以上説明したように、この変形例によれば、弾性力を有する平板状の硬質部材である平板状ばね部材３４の所定の位置に振動吸収部材３３を貼着して押圧部材３０Ｃを形成するようにしたので、防塵フイルター２１との当接が点接触又は線接触となる場合に比べて、若干広い範囲で防塵フイルター２１を押圧することができる。したがって、より確実な押圧を確保しながら、当該防塵フイルター２１の振動を阻害してしまうようなこともなく、安定した振動を確保できる。
【０２１４】
さらに、極めて簡単な構成で押圧部材３０Ｃを形成することができるので、製造の効率化及び製造コストの低減化にも寄与することができる。
【０２１５】
ところで、上述の第１実施形態においては、保持構造部の一部を構成する押圧部材２０Ａを円環形状となるように形成し、これによって防塵フイルター２１の周縁部を押圧するように構成している。したがって防塵フイルター２１の周縁部は、押圧部材２０Ａによって覆い隠されることになる。
【０２１６】
防塵フイルター２１は、上述したように撮像素子２７の前面側に所定の間隔を持って対向配設される光学部材からなるものである。そして、当該防塵フイルター２１は、撮影光学系１２ａを透過して撮像素子２７の光電変換面に到る被写体光束の光路上に配置されているものである。
【０２１７】
この場合において、防塵フイルター２１には、撮影光学系１２ａを透過して撮像素子２７の光電変換面上に被写体像を形成するのに寄与する光束以外の光束（以下、有害光束という）が通過する場合がある。このような有害光束が、光電変換面上の所定の領域、即ち表示または記録するための画像信号を取得すべき領域内に混入すると、取り込まれた画像信号に基づいて形成される画像には、例えばフレア・ゴースト等が発生し、当該画像の色彩・明度・コントラスト等に悪影響を与えて画質を劣化させてしまう場合がある。
【０２１８】
そこで、このような問題を解消するための手段を、以下に説明する。
図３５は、本発明の第４実施形態のカメラの撮像素子ユニットにおいて適用される押圧部材のみを取り出して示す斜視図である。
【０２１９】
本発明の第４実施形態は、上述の各実施形態及び各変形例のうち円環状の押圧部材を適用して構成される実施形態、即ち第１実施形態及びその各変形例（第１〜第５変形例）と略同様の構成であって、押圧部材２０Ｄの構成のみが異なるものである。したがって、上述の第１実施形態（とその変形例各種）と同様の構成については図示及び詳述を省略し、異なる部材についてのみ、以下に説明する。
【０２２０】
本実施形態における保持構造部の一部を構成する押圧部材２０Ｄは、板状ばね等の弾性体によって形成されており、その略中央部には、矩形状からなる開口２０Ｄｎが形成されている。この開口２０Ｄｎは、撮像素子２７の光電変換面の有効領域に対応した形状であって、被写体像を形成するのに寄与する光束のみを通過させ得るように、その形状が設定されている。
【０２２１】
つまり、本実施形態による押圧部材２０Ｄは、上述の各実施形態と同様に防塵フイルター２１を防塵フイルター受け部材２３の側へと押圧する役目をするのと同時に、撮影光学系１２ａを透過した後の被写体光束が防塵フイルター２１を通過する際の通過光束を制限し、撮像素子２７の光電変換面に到る光束を絞る機能を備えるように構成している。つまり、押圧部材２０Ｄは、撮像素子２７の光電変換面に有害光束が到達するのを抑える役目をも担っている。
その他の構成は、上述の第１実施形態に準じるものとする。
【０２２２】
以上説明したように上記第４実施形態によれば、押圧部材２０Ｄは、その開口２０Ｄｎを撮像素子２７の光電変換面に応じた矩形状に形成している。この場合において、押圧部材２０Ｄによって押圧される防塵フイルター２１の周縁部近傍、即ち当該押圧部材２０Ｄの開口２０Ｄｎに対応する防塵フイルター２１の所定の部位以外の部位を遮い隠すような形状となるように、押圧部材２０Ｄを形成したので、当該押圧部材２０Ｄは、防塵フイルター２１に入射する光束のうち画像を形成するのに寄与する有効光束以外の光束、即ちフレアやゴースト等を生じさせ得る原因となる有害光束の通過を制限する絞り機能を兼ね備えている。
【０２２３】
これにより、フレアやゴースト等の発生を抑えることができるので、良好な状態の画像信号を表示または記録することができる。よって、この画像信号に基づいて表示される画像もまた良好な画質を確保することができる。
【０２２４】
【発明の効果】
以上述べたように本発明によれば、撮像素子の光電変換面上に塵埃等が付着するのを防止する防塵構造を備えたカメラ及びこれに使用する撮像素子ユニットにおいて、撮像素子の前面側に配設する防塵部材と封止構造部とを確実に固定保持し得る固定手段を提案し、確実な封止構造と防塵機能とを確保しながら、構成の簡略化を実現し、製造上の簡易化をも実現し得るカメラ及びこれに使用する撮像素子ユニットを提供することができる。
【図面の簡単な説明】
【図１】本発明の第１実施形態のカメラの概略的な構成を示す図であって、本カメラの一部を切断してその内部構成を概略的に示す斜視図。
【図２】図１のカメラにおいて主に電気的な構成を概略的に示すブロック構成図。
【図３】図１のカメラにおける撮像ユニットの一部を取り出して示す図であって、当該撮像ユニットを分解して示す要部分解斜視図。
【図４】図１は、当該撮像ユニットの一部（防塵部材及び押圧部材の取り付け部位）を拡大して示す要部拡大斜視図。
【図５】本発明の第１実施形態の第１変形例の撮像ユニットを分解して示す要部分解斜視図。
【図６】図５の撮像ユニットの一部（防塵部材及び押圧部材の取り付け部位）を拡大してその断面を示す要部拡大断面斜視図。
【図７】本発明の第１実施形態の第２変形例の撮像ユニットを分解して示す要部分解斜視図。
【図８】図７の撮像ユニットの一部（防塵部材及び押圧部材の取り付け部位）を拡大してその断面を示す要部拡大断面斜視図。
【図９】本発明の第１実施形態の第３変形例の撮像ユニットを分解して示す要部分解斜視図。
【図１０】図９の撮像ユニットを組み立てた状態を示す斜視図。
【図１１】図１０のＣ−Ｃ線に沿う断面図。
【図１２】図９の撮像ユニットに対して押圧部材を組み附ける際の様子を示す斜視図。
【図１３】図９の撮像ユニットの一部（防塵部材及び押圧部材の取り付け部位）を拡大してその断面を示す要部拡大断面斜視図。
【図１４】本発明の第１実施形態の第４変形例の撮像ユニットの一部（防塵部材及び押圧部材の取り付け部位）を拡大してその断面を示す要部拡大断面斜視図。
【図１５】本発明の第１実施形態の第５変形例の撮像ユニットの一部（防塵部材及び押圧部材の取り付け部位）を拡大してその断面を示す要部拡大断面斜視図。
【図１６】本発明の第２実施形態のカメラにおける撮像ユニットを分解して示す要部分解斜視図。
【図１７】図１６の撮像ユニットを組み立てた状態であって、その一部を切断して示す斜視図。
【図１８】図１７の切断面に沿う断面図。
【図１９】図１６のカメラにおける撮像ユニットのうち防塵フイルター及びこれに一体に設けられる圧電素子のみを取り出して示す正面図。
【図２０】図１９の圧電素子に対して駆動電圧を印加した際の防塵フイルター及び圧電素子の状態変化を示す図であって、図１９のＡ−Ａ線に沿う断面図。
【図２１】図１９の圧電素子に対して駆動電圧を印加した際の防塵フイルター及び圧電素子の状態変化を示す図であって、図１９のＢ−Ｂ線に沿う断面図。
【図２２】図１６のカメラにおける撮像ユニットのうち防塵フイルター及びこれに一体に設けられる圧電素子のみを取り出して示す正面図。
【図２３】図２２の圧電素子に対して印加した際の防塵フイルター及び圧電素子の状態変化の別の例を示し、図２２のＡ−Ａ線に沿う断面図。
【図２４】図２２の圧電素子に対して印加した際の防塵フイルター及び圧電素子の状態変化の別の例を示し、図２２のＢ−Ｂ線に沿う断面図。
【図２５】本発明のの第２実施形態の第１変形例の撮像ユニットの概略を示す斜視図。
【図２６】図２５の撮像ユニットにおける押圧部材と押圧部材固定部とを取り出して拡大して示す要部拡大分解斜視図。
【図２７】図２５の押圧固定部に対して押圧部材を取り付け固定する際の手順を示す作用図。
【図２８】図２５の押圧固定部に対して押圧部材を取り付け固定する際の手順を示す作用図。
【図２９】本発明の第２実施形態の第２変形例を示す要部拡大分解斜視図。
【図３０】本発明の第２実施形態の第３変形例を示す要部拡大分解斜視図。
【図３１】本発明の第３の実施形態における押圧部材の一変形例を示す断面図。
【図３２】本発明の第３実施形態における押圧部材の別の変形例を示す断面図。
【図３３】本発明の第３実施形態のさらに別の変形例の押圧部材のみを取り出して示す断面図。
【図３４】図３３の押圧部材を適用した撮像ユニットの一部を拡大して示す要部拡大断面図。
【図３５】本発明の第４実施形態のカメラの撮像素子ユニットにおいて適用される押圧部材のみを取り出して示す斜視図。
【符号の説明】
１……カメラ
１１……カメラ本体部
１１ａ……撮影光学系装着部（撮影レンズ装着部）
１２……レンズ鏡筒
１２ａ……撮影光学系（撮影レンズ）
１３……ファインダー装置
１３ａ……ペンタプリズム
１３ｂ……反射鏡
１３ｃ……接眼レンズ
１４……シャッター部
１５……撮像ユニット（撮像素子ユニット）
１６……主回路基板
１６ａ……画像信号処理回路
１６ｂ……ワークメモリ
１７……レリーズボタン
２０・２０Ａ・２０Ｂ・２０Ｃ・２０Ｄ……押圧部材（保持構造部）
２０Ｄｎ……開口
２１……防塵フイルター（防塵部材；光学部材）
２２……圧電素子（加振用部材；電気機械変換素子）
２３・２３Ａ・２３Ｃ……防塵フイルター受け部材（封止構造部）
２３ｄ……環状凸部
２３Ａａ……突状部（防塵部材の位置規制部材）
２３ａ・２３Ｃａ・２３Ａｇ・２３Ａｈ……押圧部材固定部
２３Ａｉ・２３Ｃｉ……嵌合凸部
２３Ａｊ・２３Ｃｊ……周溝
２３Ｃｋ      突起部
２４……ＣＣＤケース（撮像素子収納ケース部材；封止構造部）
２４ｄ……周溝
２５……光学的ローパスフイルター（光学ＬＰＦ；光学素子）
２６……ローパスフイルター受け部材
２７……撮像素子（ＣＣＤ）
２８……撮像素子固定板
３０Ａ・３０Ｂ・３０Ｃ……押圧部材（保持構造部）
３３……振動吸収部材（保持構造部）
４８……防塵フイルター駆動部
５１……封止空間
５１ａ……空隙部
５１ｂ……空間部
【図１】
0003927074.tif 000002
【図２】
0003927074.tif 000003
【図３】
0003927074.tif 000004
【図４】
0003927074.tif 000005
【図５】
0003927074.tif 000006
【図６】
0003927074.tif 000007
【図７】
0003927074.tif 000008
【図８】
0003927074.tif 000009
【図９】
0003927074.tif 000010
【図１０】
0003927074.tif 000011
【図１１】
0003927074.tif 000012
【図１２】
0003927074.tif 000013
【図１３】
0003927074.tif 000014
【図１４】
0003927074.tif 000015
【図１５】
0003927074.tif 000016
【図１６】
0003927074.tif 000017
【図１７】
0003927074.tif 000018
【図１８】
0003927074.tif 000019
【図１９】
0003927074.tif 000020
【図２０】
0003927074.tif 000021
【図２１】
0003927074.tif 000022
【図２２】
0003927074.tif 000023
【図２３】
0003927074.tif 000024
【図２４】
0003927074.tif 000025
【図２５】
0003927074.tif 000026
【図２６】
0003927074.tif 000027
【図２７】
0003927074.tif 000028
【図２８】
0003927074.tif 000029
【図２９】
0003927074.tif 000030
【図３０】
0003927074.tif 000031
【図３１】
0003927074.tif 000032
【図３２】
0003927074.tif 000033
【図３３】
0003927074.tif 000034
【図３４】
0003927074.tif 000035
【図３５】
0003927074.tif 000036